(57)【要約】【課題】従来、酸素を浴室に供給して、快適な入浴を楽しもうとした場合、ジェットバスシステム等の大掛かりなシステムが必要であるという課題を有していた。【解決手段】ポンプ１８により浴槽２０の湯が循環する給湯機１０の追い焚き循環回路１２に、酸素富化装置２１からの高濃度の酸素を浴室２８内の浴槽２０近傍で混入させ追い焚きアダプタ１９より噴出させる構成とすることで、酸素富化用の配管が不要なため安価に取りつけでき一般の家庭へ容易に設置でき、追い焚き操作で高濃度酸素供給と浴槽湯加熱が可能なため浴槽湯が冷却されることがない。【選択図】  図１
2005006811.tif 000002
【特許請求の範囲】
【請求項１】
給湯装置のポンプにより浴槽の湯が循環する追い焚き循環回路と、前記浴槽に設けた追い焚きアダプタと、前記浴槽の近傍で高濃度の酸素を供給する酸素富化装置と、前記酸素富化装置からの高濃度の酸素を前記追い焚き循環回路に混入させる混入手段と、高濃度の酸素を前記追い焚きアダプタより前記浴槽内へ噴出させる構成とした酸素富化給湯装置。
【請求項２】
追い焚き循環回路と、酸素富化装置の間に浴槽の湯水が逆流することを防止する逆流防止手段を設けた請求項１記載の酸素富化給湯装置。
【請求項３】
減圧手段により生じた圧力で混入手段から追い焚き循環回路に高濃度の酸素を混入させる請求項１記載の酸素富化給湯装置。
【請求項４】
酸素富化装置に設けた空気供給手段で新鮮空気を酸素富化膜に供給し、前記空気供給手段から酸素富化された後の空気を浴室外部へ放出する導出部を設けた請求項１〜３いずれか１項に記載の酸素富化給湯装置。
【請求項５】
高濃度の酸素を追い焚き循環回路に入れる混入手段を絞り部で構成し、前記絞り部により生ずる負圧によって高濃度の酸素を混入させる請求項１〜４いずれか１項に記載の酸素富化給湯装置。
【発明の詳細な説明】
【０００１】
【発明の属する技術分野】
本発明は、浴槽の湯を加熱し循環させる回路に、高濃度の酸素を混入し浴槽内の浴槽湯へ放出する酸素富化給湯装置に関するものである。
【０００２】
【従来の技術】
従来の酸素富化装置は、ジェットバス等の浴槽湯循環回路の浴槽水に高濃度の酸素を供給するものがある（例えば特許文献１参照）。図６は、特許文献１に記載された従来の酸素富化装置を示すものである。図６に示すように、浴槽１の湯水を循環させるポンプ２と管路３に気体を供給する供給部４を設け、供給部４に酸素富化空気を供給する酸素富化装置５を設け、浴槽１には吸入口６と吐出口７を設けて構成される。
【０００３】
【特許文献１】
特開平４−２３４７号公報（００３−００１６、第１図）
【０００４】
【発明が解決しようとする課題】
しかしながら上記特許文献１の従来の酸素供給装置では、ジェットバス等の浴槽湯を循環させる回路へ高濃度の酸素を供給する構成であるため、ジェットバス用の配管２の工事が必要で簡単に家庭に設置できなかった。さらに、浴槽の湯が高濃度の常温酸素で冷却され湯温がたちまち低下する課題が生じる。
【０００５】
本発明は上記課題を解決するため、一般家庭で設置している追い焚き機能付き給湯装置の浴槽湯を循環する追い焚き循環回路に、浴槽近傍に設けた酸素富化装置から高濃度の酸素を混入させ、浴槽に取り付けられている追焚きアダプタより噴出させる構成とすることで、安価に取りつけでき、浴槽湯の追い焚きと酸素富化を同時に実現できる酸素富化給等装置の提供を目的とする。
【０００６】
【課題を解決するための手段】
前記従来の課題を解決するために、本発明の酸素富化給湯装置は、給湯装置のポンプにより浴槽の湯が循環する追い焚き循環回路と、浴槽に設けた追い焚きアダプタと、浴槽の近傍で高濃度の酸素を供給する酸素富化装置と、酸素富化装置からの高濃度の酸素を追い焚き循環回路に混入させる混入手段と、高濃度の酸素を追い焚きアダプタより浴槽内へ噴出させる構成としたものである。
【０００７】
本発明によれば、追い焚き循環回路に酸素富化装置で高濃度にした酸素を混入するため、浴槽への配管を新たに設置することが不要で、追い焚き操作で高濃度酸素と浴槽湯を加熱しつつ循環させるため浴槽湯が冷却することがない。
【０００８】
【発明の実施の形態】
本発明の請求項１における酸素富化給湯装置は、給湯装置のポンプにより浴槽の湯が循環する追い焚き循環回路と、浴槽に設けた追い焚きアダプタと、浴室内の浴槽の近傍で高濃度の酸素を供給する酸素富化装置と、酸素富化装置からの高濃度の酸素を追い焚き循環回路に混入させる混入手段と、高濃度の酸素を追い焚きアダプタより浴槽内へ噴出させる構成としてある。
【０００９】
上記構成によって、浴室内の空気から酸素富化装置で高濃度にした酸素を追い焚き循環回路に混入し、浴槽への配管を新たに設置することが不要で、追い焚き操作で高濃度酸素と浴槽湯を加熱しつつ循環することを実現できる。
【００１０】
請求項２に記載の発明は特に、請求項１に記載の酸素富化給湯装置の追い焚き循環回路と酸素富化装置の間に浴槽の湯水が逆流することを防止する逆流防止手段を設けることにより、酸素富化装置に浴槽湯が逆流することを防止できる。
【００１１】
本発明の請求項３における酸素富化給湯装置は、請求項１に記載の酸素富化給湯装置の減圧手段により生じた圧力で混入手段から追い焚き循環回路に高濃度の酸素を混入させることにより、酸素富化装置で作られた高濃度の酸素を浴槽湯へ混入できる。
【００１２】
請求項４に記載の発明は特に、請求項１から請求項３いずれかに記載の酸素富化給湯装置の酸素富化装置に設けた空気供給手段で、浴室内の新鮮空気を酸素富化膜に供給し、余剰の高濃度窒素空気を浴室外部へ放出する導出部を設けることにより、高濃度の酸素を効率よく浴槽内へ混入できると共に浴室内全体の酸素濃度を上昇できる。
【００１３】
請求項５に記載の発明は特に、請求項１から請求項４いずれかに記載の酸素富化給湯装置の高濃度の酸素を追い焚き循環回路に入れる混入手段を絞り部で構成し、絞り部により生ずる負圧によって高濃度の酸素を混入させることにより、酸素富化装置で作られた高濃度の酸素を負圧により効率よく浴槽湯へ混入できる。
【００１４】
【実施例】
以下、本発明の実施例について図面を用いて説明する。
【００１５】
（実施例１）
図１は本発明実施例１の酸素富化給湯装置のシステム全体構成図であり、図２は酸素富化装置を浴室内の浴槽近傍に設置したときの構成図である。
【００１６】
給湯装置１０は給湯回路１１と追い焚き循環回路１２を有する１缶２水熱交換器１３と、１缶２水熱交換器１３を加熱するバーナ１４と、バーナ１４に燃焼空気を送るバーナファン１５と、燃焼空気の排出する排気口１６を設けて構成される。給湯回路１１の水は熱交換器１２で加熱されてカラン１７等から吐出される。追焚き循環回路１２に設けられた風呂ポンプ１８から出た浴槽湯の循環水は熱交換器１３の追い焚き循環回路１２で加熱された後、追い焚きアダプタ１９から浴槽２０に噴出する。浴槽近傍である浴室内の例えばエプロン３２下部に設けた酸素富化装置２１は酸素富化膜２２と、空気供給手段である送風ファン２３と、減圧手段である真空ポンプ２４と、混入手段であるチーズ２５と逆止弁２６で、浴室内の空気から高濃度にした酸素富化空気を追い焚き循環回路１２へ混入する。
【００１７】
以上のように構成された酸素富化給湯装置について、以下その動作・作用を説明する。真空ポンプ２４で減圧されることで浴室２８内の空気が酸素富化膜２２を通過し、高濃度の酸素（約３０％）となり逆止弁２６を通りチーズ２５から追い焚き循環回路１２に混入され、追い焚きアダプタ１９から循環された浴槽湯と共に浴槽２０へ噴出する。高濃度の酸素は気泡２７となって浴槽湯の中を通過し、その後浴室２８内に拡散する。酸素富化装置２１を運転しない時に追い焚き運転すると浴槽湯が酸素富化装置２１へ逆流する場合があるが、逆止弁２６が逆流を防止し、酸素富化装置２１を保護する。この結果、入浴者は浴室２８内の空気から得られた高濃度の酸素を吸いながら入浴することが可能で、入浴と高濃度酸素吸入によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。一方、浴槽水の中に酸素が溶け込むことにより嫌気性の菌であるレジオネラ菌やヌメリや臭気を発生する雑菌の増殖抑制効果も発揮する。そして、追い焚き循環回路１２に酸素富化装置２１を設ける構成であるため、新たな配管を設ける必要が無く安価に作成可能であるため、一般の家庭へ容易に設置できるとともに、高濃度の酸素を供給することによる浴槽湯の温度低下を、追い焚き運転により加熱できる。
【００１８】
ここで酸素富化装置２１をエプロン３２下部に設けた例を示したが、浴槽手すり下部のスペースでジェットバス用ポンプを設置するスペース等の浴槽近傍に設けても同様の効果を発揮する。
【００１９】
（実施例２）
図３は本発明実施例２における酸素富化給湯装置のシステム全体構成図であり、図４は酸素富化装置を浴室内の浴槽近傍に設置したときの構成図である。
【００２０】
図３と図４において、実施例１の構成と異なるところは、酸素富化装置２１の空気供給手段である送風ファン２３で浴室２８内の新鮮な空気を酸素富化膜２２へ供給し、余剰の高濃度の窒素空気を浴室２８外部へ放出する導出部２９を設けたものである。このように導出部２９により高濃度窒素空気を浴室２８外部へ放出することで、浴室２８内部の空気は高濃度酸素で次第に充満し、入浴以外の洗い場にいる場合でも酸素によるリラクゼーション効果等を享受できるものである。
【００２１】
（実施例３）
図５は本発明実施例３における混入手段の断面構成図である。図５において、実施例１の構成と異なるところは、混入手段のチーズ２５に絞り部３０を設け、酸素富化装置２１からの高濃度酸素を吸引部３１から絞り部３０へ導く構成としたものである。絞り部３０を浴槽湯が通過した後流路が急拡大することで圧力が低下しエゼクタ効果により吸引部３１から高濃度の酸素を効率よく混入できることで、高濃度酸素の混入空気の量を増加させることができる。
【００２２】
真空ポンプ２４と絞り部３０を併用した高濃度酸素混入例を示したが、真空ポンプ２４が存在しない構成とした場合でもエゼクタ効果による負圧で酸素富化させることが可能で、高濃度酸素の濃度と流量は減少するが、低コストで、真空ポンプレスの非常に簡単な構成にすることが可能となる。
【００２３】
【発明の効果】
以上の説明から明らかなように本発明の酸素富化給湯装置によれば、追い焚き循環回路に酸素富化装置で高濃度にした酸素を混入するので、浴槽への配管を新たに設置することが不要であるため、安価に作成可能であり、一般の家庭へ容易に設置できる。追い焚き操作で高濃度酸素と浴槽湯を加熱しつつ循環させるため浴槽湯が冷却することがない。また、浴槽湯に高濃度の酸素を供給することで、入浴と高濃度酸素吸入によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。一方、浴槽水の中に酸素が溶け込むことにより嫌気性の菌であるレジオネラ菌やヌメリや臭気を発生する雑菌の増殖抑制効果も発揮する。
【図面の簡単な説明】
【図１】本発明の実施例１における酸素富化給湯装置の全体構成図
【図２】同、酸素富化給湯装置における酸素富化装置を浴室内の浴槽近傍に設置したときの構成図
【図３】本発明の実施例２における酸素富化給湯装置の全体構成図
【図４】同、酸素富化給湯装置における酸素富化装置を浴室内の浴槽近傍に設置したときの構成図
【図５】同、酸素富化給湯装置における混入手段の断面構成図
【図６】従来の酸素富化装置の全体構成図
【符号の説明】
１０  給湯装置
１２  追い焚き循環回路
１８  ポンプ
１９  追い焚きアダプタ
２０  浴槽
２１  酸素富化装置
２３  空気供給手段
２４  減圧手段
２５  混入手段
２６  逆流防止手段
２９  導出部
３０  絞り部
【図１】
2005006811.tif 000003
【図２】
2005006811.tif 000004
【図３】
2005006811.tif 000005
【図４】
2005006811.tif 000006
【図５】
2005006811.tif 000007
【図６】
2005006811.tif 000008